(57)【要約】【課題】間接活線作業により腕金に取り付け可能な、針山形の腕金用鳥害防止具を提供する。【解決手段】本発明の腕金Ａ用鳥害防止具は、腕金Ａの長手方向の端部に装着されるキャップ部２と、前記キャップ部２から、前記長手方向に沿って前記腕金Ａ側に延びる、互いに平行な２つの延在部３と、前記延在部３に対して、起立した状態と倒れた状態とで状態変更可能に取り付けられた複数の針山部６と、前記針山部６を前記起立した状態と前記倒れた状態との間で状態変更させる操作部４，７，８と、を備える。【選択図】図１
2020195308.tif 000002
【特許請求の範囲】
【請求項１】
腕金の長手方向の端部に装着されるキャップ部と、
前記キャップ部から、前記長手方向に沿って前記腕金側に延びる、互いに平行な２つの延在部と、
前記延在部に対して、起立した状態と倒れた状態とで状態変更可能に取り付けられた複数の針山部と、
前記針山部を前記起立した状態と前記倒れた状態との間で状態変更させる操作部と、
を備える腕金用鳥害防止具。
【請求項２】
前記操作部は、
前記延在部の上部を前記延在部と平行に延び、前記針山部がそれぞれ貫通する複数の孔部が設けられるとともに、前記延在部に対して前記長手方向にスライド可能な２つの操作板と、
前記延在部に取り付けられ、前記針山部を前記倒れた状態から前記起立した状態へと付勢する複数の付勢部材と、を備え、
前記操作板に対して、前記延在部に対して前記長手方向にスライドするように力を加えると、前記孔部の側面が前記針山部を前記長手方向に押圧し、前記針山部が前記付勢部材の付勢力に抗して前記倒れた状態となり、
前記操作板に加えた前記力を解除すると、前記操作板が前記延在部に対して前記長手方向にスライドした状態から元に戻り、前記針山部が前記付勢部材の付勢力によって前記起立した状態となる、
請求項１に記載の腕金用鳥害防止具。
【請求項３】
前記操作板の前記長手方向の端部を互いに連結する把持部が設けられ、
前記把持部を前記長手方向に引っ張ることにより、前記操作板が前記延在部に対して前記長手方向にスライドする、
請求項２に記載の腕金用鳥害防止具。
【請求項４】
前記キャップ部または前記延在部の上面に設けられた長手方向に延びるレール部と、
前記操作板の下面に設けられ、前記レール部と係合して前記レール部に対してスライドするスライド部と、を備える、
請求項２または３に記載の腕金用鳥害防止具。
【発明の詳細な説明】
【技術分野】
【０００１】
本発明は、腕金用鳥害防止具に関する。特に、絶縁操作部材を用いて、無停電状態で電気工事を実施できる間接活線工事に適した腕金用鳥害防止具であって、カラス又は鳩などの鳥類が電柱に固定した腕金に営巣することで発生する鳥害を防止する腕金用鳥害防止具に関する。
【背景技術】
【０００２】
電柱には、断面四角の腕金が略水平状態で装架されている。腕金は、ピン碍子を介して架空送電線を支持している。カラス又は鳩などの鳥類が電柱に固定した腕金に営巣すると、鳥類の糞が電気装柱物に付着するなどの鳥害が発生する心配がある。
【０００３】
このため、先端の尖った針山部を林立した、いわゆる、針山形の腕金用鳥害防止具を腕金の上板に設置することで、鳥類の飛来を防止する鳥害対策が知られている（例えば、特許文献１参照）。この針山形の腕金用鳥害防止具は低コストであるが、取り付けの際に停電作業が必要であり、間接活線作業では取り付けができない。
このため、複数の傘の骨組み状の腕金用鳥害防止具、いわゆる、アンブレラボーン形の腕金用鳥害防止具を腕金に立設することで、鳥類の飛来を防止する鳥害対策も知られている（例えば、特許文献２参照）。
【先行技術文献】
【特許文献】
【０００４】
【特許文献１】実開平１１−２８９６４４号公報
【特許文献２】特開２０１４−１１７２６９号公報
【発明の概要】
【発明が解決しようとする課題】
【０００５】
しかし、傘型の腕金用鳥害防止具は針山型よりも金額が高く、横に長い腕金には複数取り付けなければならない。そうすると、鳥害対策工事をするために、１箇所でかなりのコストがかかる。また、複数取り付けた腕金用鳥害防止具と高圧の縁線が接触して、塩害によって地絡故障の原因になる可能性がある。さらに、腕金用鳥害防止具を複数取り付けるために高圧線付近に何回もアプローチしなければならない。また、アプローチの際にホットスティックが縁線に接触する等して、地絡故障になるリスクが大きくなる。そうすると、急な停電が生じる可能性がある。
【０００６】
本発明は、間接活線作業により腕金に取り付け可能な、針山形の腕金用鳥害防止具を提供することを目的とする。
【課題を解決するための手段】
【０００７】
上記課題を解決するために本発明の腕金用鳥害防止具は、腕金の長手方向の端部に装着されるキャップ部と、前記キャップ部から、前記長手方向に沿って前記腕金側に延びる、互いに平行な２つの延在部と、前記延在部に対して、起立した状態と倒れた状態とで状態変更可能に取り付けられた複数の針山部と、前記針山部を前記起立した状態と前記倒れた状態との間で状態変更させる操作部と、を備える。
【０００８】
前記操作部は、前記延在部の上部を前記延在部と平行に延び、前記針山部がそれぞれ貫通する複数の孔部が設けられるとともに、前記延在部に対して前記長手方向にスライド可能な２つの操作板と、前記延在部に取り付けられ、前記針山部を前記倒れた状態から前記起立した状態へと付勢する複数の付勢部材と、を備え、前記操作板に対して、前記延在部に対して前記長手方向にスライドするように力を加えると、前記孔部の側面が前記針山部を前記長手方向に押圧し、前記針山部が前記付勢部材の付勢力に抗して前記倒れた状態となり、前記操作板に加えた前記力を解除すると、前記操作板が前記延在部に対して前記長手方向にスライドした状態から元に戻り、前記針山部が前記付勢部材の付勢力によって前記起立した状態となることが好ましい。
【０００９】
前記操作板の前記長手方向の端部を互いに連結する把持部が設けられ、前記把持部を前記長手方向に引っ張ることにより、前記操作板が前記延在部に対して前記長手方向にスライドすることが好ましい。
【００１０】
前記キャップ部または前記延在部の上面に設けられた長手方向に延びるレール部と、前記操作板の下面に設けられ、前記レール部と係合して前記レール部に対してスライドするスライド部と、を備えることが好ましい。
【発明の効果】
【００１１】
本発明によれば、間接活線作業により腕金に取り付け可能な、針山形の腕金用鳥害防止具を提供することができる。
【図面の簡単な説明】
【００１２】
【図１】実施形態の腕金用鳥害防止具１を腕金Ａに装着した状態を示す斜視図である。
【図２】腕金Ａへの装着前の腕金用鳥害防止具１の斜視図である。
【図３】操作板４の斜視図である。
【図４】キャップ部２と、延在部３と、針山部６と、ねじりバネ８との斜視図である。
【図５】腕金用鳥害防止具１を、腕金Ａに取り付ける絶縁操作部材１０を示す図である。
【発明を実施するための形態】
【００１３】
以下、本発明の一実施形態による腕金用鳥害防止具１について図面を参照しながら説明する。腕金用鳥害防止具１は、腕金Ａの長手方向の端部に装着されるものである。図１は腕金用鳥害防止具１を腕金Ａに装着した状態を示す斜視図である。図２は、腕金Ａへの装着前の腕金用鳥害防止具１の斜視図である。
以下、電柱Ｐの延びる方向を上下方向、腕金Ａの延びる方向を長手方向、上下方向と長手方向と直交する方向を短手方向として説明する。また、長手方向における腕金Ａの腕金用鳥害防止具１が取り付けられる側を前側、他側を後側ともいう。
【００１４】
（腕金Ａ）
腕金Ａは略水平状態で電柱Ｐに装架されている。腕金Ａにはピン碍子Ｐｉが上向きに取り付けられている。ピン碍子Ｐｉは、その下端から下方に延びる支持ボルトＢｓによって支持されている。支持ボルトＢｓの下端は、ねじが切られており、支持ボルトＢｓは腕金Ａを貫通して、下面においてねじがナット部材Ｎと螺合されることで、腕金Ａに固定されている。
【００１５】
（腕金用鳥害防止具１）
腕金用鳥害防止具１は、腕金の長手方向の前側の端部に装着されるキャップ部２と、キャップ部２から、互いに平行且つ長手方向に延びる２つの延在部３と、それぞれの延在部３の上側を延在部３と平行離隔関係で延びるとともに複数の長孔部５が設けられた２つの操作板４と、延在部３から操作板４に設けられた複数の長孔部５のそれぞれを通って上方に延びる複数の円錐状の針山部６と、それぞれの針山部６に取り付けられた、付勢部材である複数のねじりバネ８とを備える。操作板４、延在部３、針山部６及びキャップ部２は、絶縁性を有する合成樹脂で構成することが好ましい。
図３は操作板４の斜視図である。図４はキャップ部２と、延在部３と、針山部６と、ねじりバネ８との斜視図である。
【００１６】
（キャップ部２）
キャップ部２は、上板２１と、下板２２と、一対の側板２３と、端板２４とを備える箱型形状で、端板２４と平行な面は開口部２５となっている。キャップ部２を開口部２５側から、腕金Ａの前端部から挿入すると、キャップ部２は腕金Ａの前端部に略隙間なく嵌り、腕金Ａの前端部を外側から覆う。
【００１７】
（上板２１及び下板２２）
図１に示すように、上板２１及び下板２２の、端板２４から開口部２５まで（長手方向）の長さＸ１は、腕金Ａの前端面Ａ１からピン碍子Ｐｉまでの長さＸ２より長い。このため、上板２１及び下板２２の開口部２５側縁部における短手方向中央には、切り欠き部２１ａ及び２２ａが設けられている。
【００１８】
（延在部３）
延在部３は、上板２１の開口部２５側縁部の短手方向両端から長手方向に延びる互いに略同形の細長い２つの板状部材である。なお、実施形態において上板２１と延在部３とは一体的に製造され、２つの延在部３は上板２１と略同一面上を延びている。しかし、これに限定されず上板２１と延在部３とは別部材であってもよい。
【００１９】
（レール部２６）
また、上板２１の上面には、短手方向の断面形状が一定で、下側が細く上側が太いレール部２６が長手方向に延びるように設けられている。
【００２０】
（操作板４）
操作板４は、キャップ部２の上板２１及び延在部３と平行離隔関係で、その上方を長手方向に延びる互いに略同形の細長い２つの板部材である。
操作板４には、針山部６と同数の複数の長孔部５が設けられている。実施形態では４つである。操作板４の前側の下面には、レール部２６に対してスライドするスライド部４１が設けられている。
スライド部４１は、短手方向の断面形状が一定で、長手方向に延び、下側が狭く、上側が広い凹部が設けられている。レール部２６をスライド部４１の長手方向の一方から差し込むと、操作板４は延在部３に対して上下方向に抜けることなくスライド可能となる。
【００２１】
（把持部７）
２つの操作板４の長手方向前側の端部は、把持部７によって互いに連結されている。把持部７は、一定の幅を有する板部材で、上下の面に複数の溝７ａが設けられている。
【００２２】
（針山部６）
針山部６は、先端の尖った円錐形状を有する。針山部６は、延在部３に対してねじりバネ８を介して取り付けられ、操作板４に設けられた長孔部５を貫通して上方に延びている。それぞれの針山部６の前面にねじりバネ８の一端が取り付けられ、ねじりバネ８の他端は延在部３に固定されている。ねじりバネ８に力が加わっていない状態において、針山部６は、図１及び図４に示す上方に起立した状態であり、針山部６が前側に倒れるとねじりバネ８は縮んだ状態となる。
【００２３】
（絶縁操作部材１０）
図５は、腕金用鳥害防止具１を、腕金Ａに取り付ける絶縁操作部材１０を示す図である。絶縁操作部材１０は、長尺の操作棒１１と工具部１２と工具部１３とを備える。工具部１２は、操作棒１１の先端部に取り付けられている。
【００２４】
工具部１２は、開閉する一対の湾曲した把持腕１２ａ，１２ｂを備える。一方の把持腕１２ａは、基端部が固定された固定腕であり、他方の把持腕１２ｂは、一方の把持腕１２ａの基端部に設けた回動軸１２ｃを中心に回動する可動腕となっている。
【００２５】
工具部１３は、操作棒１１に沿って保持されている。工具部１３の先端部は、他方の把持腕１２ｂに回動自在に連結している。そして、工具部１３の基端部に設けた操作レバー１４を操作すると、一方の把持腕１２ａに対して、他方の把持腕１２ｂを開閉できる。絶縁操作部材１０は、操作棒１１及び工具部１３の中間部が絶縁性を有するプラスチックパイプ等で構成され、間接活線工法に好適なように、絶縁性を確保している。
【００２６】
操作レバー１４を握って、操作レバー１４を操作棒１１に近づけると、一方の把持腕１２ａに対して、他方の把持腕１２ｂを閉じることができる。操作レバー１４を解放すると、操作レバー１４に連結したばね（図示せず）の力で、一方の把持腕１２ａに対して、他方の把持腕１２ｂを開くことができる。図５は、一方の把持腕１２ａに対して、他方の把持腕１２ｂが最大に開いた状態を示している。
【００２７】
一方の把持腕１２ａの先端には、先細り状の把持爪１２１ａが突出して設けられている。同様に、他方の把持腕１２ｂの先端には、先細り状の把持爪１２１ｂが突出して設けられている。操作レバー１４を握ると、把持爪１２１ａと把持爪１２１ｂとを互いに近づけることができる。
【００２８】
絶縁操作部材１０は、高所に配置された高圧配電線等を把持爪１２１ａ，１２１ｂにより把持できる、いわゆる「絶縁ヤットコ」になっている。
【００２９】
以下、腕金用鳥害防止具１の腕金Ａへの取り付け動作について説明する。
まず、支持ボルトＢｓに螺合したナット部材Ｎを緩めておく（図２）。そして、把持部７を、間接活線工事用の絶縁操作部材１０の工具部１２に設けられ一対の把持腕１２ａ，１２ｂによって把持する。
このとき、把持腕１２ａ，１２ｂによって把持するために、把持部７を前側に引っ張る。すなわち操作板４が、キャップ部２及び延在部３に対して前側にスライドされる。そうすると、針山部６の側面の後側が、操作板４の長孔部５の側面で前側に押されて、針山部６は、ねじりバネ８のばね力に抗して前側に倒れた状態となる。
【００３０】
このように把持部７を前側に引っ張って、間接活線工事用の絶縁操作部材１０の把持腕１２ａ，１２ｂによって把持した状態で、腕金用鳥害防止具１を腕金Ａの位置まで持ち上げて、腕金用鳥害防止具１のキャップ部２の開口部２５を腕金Ａの前端面Ａ１に対向させ、キャップ部２を腕金Ａの前端面Ａ１側から挿入する。
【００３１】
ここで、ピン碍子Ｐｉの径は、一方の延在部３に取り付けられた針山部６と、他方の延在部３に取り付けられた針山部６との間隔(短手方向の間隔)より大きい。
また、起立した状態での針山部６の高さは、腕金Ａの上面からピン碍子Ｐｉの下面までの距離より大きい。
したがって針山部６が起立した状態で、腕金Ａに腕金用鳥害防止具１を取り付けようとすると、針山部６はピン碍子Ｐｉの下を通ることができない。
【００３２】
しかし、実施形態で針山部６は、ねじりバネ８のばね力に抗して前側に倒れた状態である。したがってピン碍子Ｐｉの下を通ることができる。
そして、キャップ部２を押し込んでいくと、キャップ部２の上板２１及び下板２２の開口部２５側の縁部が支持ボルトＢｓの位置に到達する。しかし、切り欠き部２１ａ，２２ａが設けられているので、キャップ部２はさらに深く挿入され、支持ボルトＢｓが切り欠き部２１ａ，２２ａ内に挿入された状態となる。この状態で、支持ボルトＢｓの下端のねじに螺合したナット部材Ｎを締めることで、ナット部材Ｎによってキャップ部２の下板２２が腕金Ａの下面とナット部材Ｎとの間に挟持されて、キャップ部２は腕金Ａの端部に固定される。
【００３３】
以上、本実施形態によると、安価な針山の腕金用鳥害防止具１を間接活線作業で取り付けることができる。したがって、傘型の腕金用鳥害防止具を使用する場合と比べて、安価に鳥害防止を行うことができる。また、傘型の腕金用鳥害防止具は、横に長い腕金には複数取り付けなければならない。そうすると、鳥害対策工事をするために、さらに１箇所でコストがかかる。しかし、針山の腕金用鳥害防止具１は、長手方向に延びているので、腕金Ａの一端側には１つ取り付ければよく、この点でもコスト削減が可能である。
【００３４】
また、傘型の腕金用鳥害防止具は、複数取り付けた腕金用鳥害防止具と高圧の縁線が接触して、塩害によって地絡故障の原因になる可能性がある。さらに、傘型の腕金用鳥害防止具を複数取り付けるために高圧線付近に何回もアプローチしなければならない。また、アプローチの際にホットスティックが縁線に接触する等して、地絡故障になるリスクが大きくなる。そうすると、急な停電が生じる可能性がある。
しかし、針山の腕金用鳥害防止具１においては、取り付けは１つなので、このような事態が発生しない。
【符号の説明】
【００３５】
Ａ    腕金
Ｂｓ    支持ボルト
Ｎ    ナット部材
Ｐｉ    ピン碍子
１    腕金用鳥害防止具
２    キャップ部
３    延在部
４    操作板（操作部）
５    長孔部
６    針山部
７    把持部
８    ねじりバネ（操作部）
１０    絶縁操作部材
２１    上板
２１ａ    切り欠き部
２２    下板
２２ａ    切り欠き部
２３    側板
２４    端板
２５    開口部
２６    レール部
４１    スライド部
【図１】
2020195308.tif 000003
【図２】
2020195308.tif 000004
【図３】
2020195308.tif 000005
【図４】
2020195308.tif 000006
【図５】
2020195308.tif 000007